(57)【特許請求の範囲】
【請求項１】
電子写真プロセス方式の画像形成装置であって、装置本体内部にトナー供給ユニット、現像ユニット及び感光体ドラムユニットを備え、前記トナー供給ユニットから前記現像ユニットにトナーを供給する経路を前記感光体ドラムユニット内に備え、該感光体ドラムユニットが、前記トナー経路の入口を塞ぐ際に取り付ける別部材の塞止部材を備え、前記塞止部材を収納する部位を、前記装置本体の開閉可能な外装カバーの内側に設けてなる画像形成装置において、
前記装置本体に設けてある電源をインターロックするために前記外装カバーが解除爪を有し、前記外装カバーを開けると前記解除爪が前記電源インターロックスイッチの開口から外れて前記電源のインターロックスイッチが解かれ、前記外装カバーを閉じると前記解除爪が前記電源インターロックスイッチの開口内へ入って前記電源のインターロックスイッチが行われる画像形成装置であって、
前記塞止部材が、
前記外装カバーを開けた状態で前記解除爪に代わって前記塞止部材を前記電源インターロックスイッチの前記開口内へ入れて前記電源のインターロックの解除を行うための爪形状部を有するとともに、
該爪形状部を前記電源インターロックスイッチの前記開口内へ入れた状態を保つために該開口の縁に引っ掛ける溝部を有する
ことを特徴とする画像形成装置。
【発明の詳細な説明】
【０００１】
【発明の属する技術分野】
本発明は、複写機やファクシミリ等の電子写真プロセス方式の画像形成装置に関する。
【０００２】
【従来の技術及び発明が解決しようとする課題】
電子写真プロセス方式の画像形成装置は、その動作時に、装置本体の内部にあるトナー供給ユニットから感光体ドラムユニット内のトナー経路を通り、現像ユニットにトナーを供給し、感光体ドラム上に画像を形成する。このような画像形成装置で、サ−ビス技術者が感光体ドラムユニットをメンテナンスする際、感光体ドラムユニットを天地逆にすることにより、感光体ドラムを装置本体から取り外すことが可能となるものがある。この種の画像形成装置では、感光体ドラムユニットを取り外す際に、感光体ドラムユニット内のトナー経路入口を塞ぐ必要がある。
【０００３】
そのための手段としては、感光体ドラムユニットのトナー経路入口を塞ぐための別部材を備えるものが多い。このような装置においては、感光体ドラムユニット内のトナー経路入口を塞ぐための塞止部材を保管しておく必要があるが、十分に注意していないとこの塞止部材を紛失することがあり、感光体ドラムユニットをメンテナンスする際にトナー漏れを防げなかったりする等の問題が生じることがあった。
【０００４】
またメンテナンスのためには装置本体の外装カバーを開けるものが多く、その場合、装置本体の主電源スイッチがオフとなる構造にしてあるものがほとんどであるが、メンテナンス中に過って主電源スイッチをオンにされると危険な場合があり、その一方では、サービス技術者が外装カバーを開けた状態で主電源をオンとして画像形成装置の動作確認メンテナンスを行うことが面倒なものが多く、どちらも改良が望まれていた。
【０００５】
したがって本発明は、感光体ドラムユニット内のトナー経路入口を塞ぐ塞止部材を紛失することが無く、感光体ドラムユニットをメンテナンスする際にはトナー漏れを確実に防ぐことができる画像形成装置を提供することを目的とする。
【０００６】
また本発明は、メンテナンス時に外装カバーを開けた後、所定の場所に塞止部材を収納しないかぎり装置本体の主電源スイッチが入らないようにすることにより、より安全に、そして次回のメンテナンス時にトナー漏れを確実に防ぐことができる画像形成装置を提供することを目的とする。
【０００７】
さらに本発明は、サービス技術者が感光体ドラムユニット以外の画像形成装置の装置本体内にある構成要素をメンテナンスする際に、外装カバーを開けた状態でも簡単に主電源を入れ得るようにした画像形成装置を提供することをも目的とする。
【０００８】
【課題を解決するための手段】
本発明の請求項１に係る画像形成装置は、上記目的を達成するために、電子写真プロセス方式の画像形成装置であって、装置本体内部にトナー供給ユニット、現像ユニット及び感光体ドラムユニットを備え、前記トナー供給ユニットから前記現像ユニットにトナーを供給する経路を前記感光体ドラムユニット内に備え、該感光体ドラムユニットが、前記トナー経路の入口を塞ぐ際に取り付ける別部材の塞止部材を備え、前記塞止部材を収納する部位を、前記装置本体の開閉可能な外装カバーの内側に設けてなる画像形成装置において、前記装置本体に設けてある電源をインターロックするために前記外装カバーが解除爪を有し、前記外装カバーを開けると前記解除爪が前記電源インターロックスイッチの開口から外れて前記電源のインターロックスイッチが解かれ、前記外装カバーを閉じると前記解除爪が前記電源インターロックスイッチの開口内へ入って前記電源のインターロックスイッチが行われる画像形成装置であって、前記塞止部材が、前記外装カバーを開けた状態で前記解除爪に代わって前記塞止部材を前記電源インターロックスイッチの前記開口内へ入れて前記電源のインターロックの解除を行うための爪形状部を有するとともに、該爪形状部を前記電源インターロックスイッチの前記開口内へ入れた状態を保つために該開口の縁に引っ掛ける溝部を有することを特徴とする。
【００１１】
【発明の実施の形態】
以下本発明の実施の形態を図面を参照して説明する。
図１は本発明の実施対象となる画像形成装置の一例を示す斜視図、図２は本発明の一実施形態を概略的に示す斜視図である。図において、１はトナー供給ユニット、２は感光体ドラムユニット、３は装置本体、４は塞止部材、５は開閉可能な外装カバー、６は主電源インターロックスイッチ部、７はその解除爪である。外装カバー５を図１に示すように開けると、解除爪７が主電源インターロックスイッチ部６から外れ、装置本体３の図示せぬ主電源スイッチをオンさせることができなくなる。
【００１２】
画像形成装置の動作時には、装置本体３の内部にあるトナー供給ユニット１から感光体ドラムユニット２内のトナー経路を通り、図示せぬ現像ユニットにトナーを供給し、感光体ドラムユニット２内の感光体ドラム上に画像を形成する。サ−ビス技術者が感光体ドラムユニット２をメンテナンスする際は、感光体ドラムユニット２を天地逆にすることにより、感光体ドラムユニット２を装置本体３から取り外すことが可能となっている。その際には、感光体ドラムユニット２内のトナー経路入口を塞ぐ必要がある。
【００１３】
本実施形態では、開閉可能な外装カバー５の内側に、感光体ドラムユニット２のトナー経路入口を塞ぐ際に取り付ける別部材の塞止部材４を収納可能な収納部８が設けてある。不使用時には塞止部材４を取り外してこの収納部８内に収納させるようにすることで、塞止部材４の紛失を無くせるとともに、装置本体３内の感光体ドラムユニット２をメンテナンスする際に簡単に取り出せ、感光体ドラムユニット２からのトナー漏れを確実に防ぐことが可能となる。
【００１４】
図３は本発明の他の実施形態を概略的に示す斜視図である。本実施形態の塞止部材４は、画像形成装置の主電源インターロックスイッチ部６による主電源のオンオフロックを解除するための解除爪９を図示のように突設してある。この塞止部材４を収納するために外装カバー５の内側に設けた収納部８は、塞止部材４を一対の爪体１０、１０で係止して収納する構造になっている。
【００１５】
この塞止部材４を外装カバー５の収納部８に収納すると、解除爪９が図示のように屹立し、外装カバー５を閉じると装置本体３側の主電源インターロックスイッチ部６に突入して主電源スイッチをオン可能とする。また塞止部材４を外装カバー５の収納部８に収納し忘れた場合、解除爪９が主電源インターロックスイッチ部６によるロックを解除しないので、主電源スイッチをオンしたとしても、主電源スイッチが入らず、より安全にかつ次回のメンテナンス時にトナー漏れを確実に防ぐことができるようになる。
【００１６】
図４、図５は本発明のさらに他の実施形態を概略的に示す斜視図である。本実施形態の塞止部材４は、一端に主電源インターロックスイッチ部６に突入させるための突起部１１と主電源インターロックスイッチ部６の開口縁に引っ掛けるための溝部１２が形成してある。このため、サービス技術者が感光体ドラムユニット２以外の装置本体３内の構成機器をメンテナンスする際に、塞止部材４の溝部１２を開口縁に引っ掛けておいて突起部１１を主電源インターロックスイッチ部６に差し込み、主電源を入れた状態で装置本体３の動作確認及びメンテナンスを、外装カバー５を開けた状態で行えるようにすること可能となる。
【００１７】
なお図示は省略するが、本実施形態の塞止部材４に図３の実施形態の解除爪９を併せ設けるようにすることも可能である。
【００１８】
【発明の効果】
請求項１に係る画像形成装置は、以上説明してきたように、塞止部材が、外装カバーを開けた状態で装置本体の電源インターロックスイッチをオンできるようにすることにより、感光体ドラムユニット以外をメンテナンスする際に、塞止部材を主電源インターロックスイッチ部に差し込み、主電源を入れた状態で装置本体の動作確認及びメンテナンスを容易に行うことが可能となるという効果がある。
【図面の簡単な説明】
【図１】本発明の実施対象となる画像形成装置の一例を示す斜視図である。
【図２】本発明の一実施形態を概略的に示す斜視図である。
【図３】本発明の他の実施形態を概略的に示す斜視図である。
【図４】本発明のさらに他の実施形態を概略的に示す斜視図である。
【図５】図５の実施形態の要部を概略的に示す斜視図である。
【符号の説明】
１  トナー供給ユニット
２  感光体ドラムユニット
３  装置本体
４  塞止部材
５  外装カバー
６  主電源インターロックスイッチ部
７  解除爪
８  収納部
９  解除爪
１０  爪体
１１  突起部
１２  溝部
【図１】
0004157704.tif 000002
【図２】
0004157704.tif 000003
【図３】
0004157704.tif 000004
【図４】
0004157704.tif 000005
【図５】
0004157704.tif 000006